(57)【要約】【課題】枠体を開く際にクリップを吊り下げた鎖どうしが引っかかる心配が無く、鎖の変形によるクリップの脱落を防止できる物干具を提供すること。【解決手段】吊下げ具２の下端に取り付けられた折り畳み可能な枠体１と、枠体１から鎖３を介して吊り下げられた多数のクリップ４とを備え、鎖３を可撓性チューブ１８で被覆してある。吊下げ具２の上部寄りと枠体１とを、放射状に延びる複数の支持鎖５で連結し、支持鎖５を他の可撓性チューブ１９で被覆すると共に、他の可撓性チューブ１９に螺旋状の切れ目を形成しても良い。【選択図】      図１
2004248891.tif 000002
【特許請求の範囲】
【請求項１】
吊下げ具の下端に取り付けられた折り畳み可能な枠体と、該枠体から鎖を介して吊り下げられた多数のクリップとを備えた物干具において、前記鎖を可撓性チューブで被覆したことを特徴とする物干具。
【請求項２】
前記吊下げ具の上部寄りと前記枠体とを、放射状に延びる複数の支持鎖によって連結し、前記支持鎖を他の可撓性チューブで被覆すると共に、該他の可撓性チューブに螺旋状の切れ目を形成した請求項１に記載の物干具。
【発明の詳細な説明】
【０００１】
【発明の属する技術分野】
本発明は、折り畳み可能な枠体に多数のクリップを取り付けた吊り下げ式の物干具に関する。
【０００２】
【従来の技術】
従来、上端にフックを設けた吊り下げ具の下端に枠体を取り付け、枠体から多数のクリップを鎖によって吊り下げた物干具が知られている（例えば、特許文献１参照）。
この物干具によれば、吊り下げ具の上端に設けたフックを物干し竿等に引っ掛けて設置し、クリップで洗濯物を挟むと、比較的多量の洗濯物を狭いスペースに干すことができるので、ほとんどの家庭で使用されている。
【０００３】
通常、このような物干具では、収納時に邪魔にならないよう、枠体を折り畳めるようになっている。
ところが、洗濯物を干す際に枠体を開こうとすると、クリップを吊り下げた鎖どうしが引っかかって、スムーズに開けない場合がある。
また、鎖の環が引っかかるなどして拡がると、クリップが枠体から外れてしまう虞がある。
【０００４】
【特許文献１】
特開平０７−６９２号公報
【０００５】
【発明が解決しようとする課題】
この発明は、枠体を開く際にクリップを吊り下げた鎖どうしが引っかかる心配が無く、鎖の変形によるクリップの脱落を防止できる物干具を提供することを課題とする。
【０００６】
【課題を解決するための手段】
本発明の物干具は、吊下げ具の下端に取り付けられた折り畳み可能な枠体と、該枠体から鎖を介して吊り下げられた多数のクリップとを備え、前記鎖を可撓性チューブで被覆してある。
鎖を可撓性チューブで被覆した構成により、枠体を開く際に鎖どうしが引っかかるのを防ぐと共に、鎖の環が変形して拡がることを防止する。
【０００７】
前記吊下げ具の上部寄りと前記枠体とを、放射状に延びる複数の支持鎖によって連結し、前記支持鎖を他の可撓性チューブで被覆すると共に、他の可撓性チューブに螺旋状の切れ目を形成しても良い。
支持鎖を他の可撓性チューブで被覆したことにより、枠体を開く際に、支持鎖どうし、或いは、支持鎖と鎖が引っかかるのを防ぐ。
他の可撓性チューブに螺旋状の切れ目を形成した結果、長いチューブであっても撓み易く、枠体を折り畳む際に支持鎖が曲がるのを阻害しない。
【０００８】
【発明の実施の形態】
以下、本発明の実施形態を図面に基づいて詳細に説明する。
図１に示すように、本発明の物干具は、吊下げ具２の下端に取り付けられた折り畳み可能な略矩形の枠体１と、枠体１から鎖３を介して吊り下げられた多数のクリップ４と、放射状に延びて吊下げ具２の上部寄りと枠体１とを連結する複数の（図に示す例では４本の）支持鎖５とを備える。
吊下げ具２、枠体１及びクリップ４は、合成樹脂を素材として成形されている。
【０００９】
吊下げ具２は、フック６と、フック６の下部から両側下方に延びる一対の支持脚７とを有する。
フック６の下端部は筒体９に回動自在に挿入され、フック６の先端寄りには竿押さえ枠１０が装着される。竿押さえ枠１０は、一辺が長い略Ｌ字形であり、短い他辺がフック６の基部側に張り出すよう配置されると共に、その角部がフック６の先端寄りに軸着され、一辺の長手方向に沿って形成されたスリットに、フック６の上部が摺動自在に係合されている。
【００１０】
従って、フック６を上方から物干し竿に向かって降ろすと、物干し竿は竿押さえ枠１０に係合し、その後、物干し竿に押されて竿押さえ枠１０の一辺が上方へ回動し、竿押さえ枠１０の他辺とフック６とによって物干し竿を挟み付けることになる。
なお、筒体９の下端には支持板１７が固定され、支持板１７の四隅部に支持鎖５の上端が係止されている。
【００１１】
支持脚７は下方外向きに傾斜し、筒体９の両側面に支持脚７の上端が固定される。また、支持脚７の下部間には補強桿８が架設され、補強桿８の中央部にはＵ字状環１１が下方に向けて取り付けられる。物干具を使用しない時は、枠体１を折り畳み、このＵ字状環１１を壁のフック等に引っ掛けて、収納することができるようになっている。
さらに、両側の支持脚７の下端には、内側に開口した筒状の枠体支持部１２がそれぞれ一体に設けられる。
【００１２】
枠体１は、一対のコ字状枠１３から成り、コ字状枠１３の両端を内側に屈曲すると共に、枠体支持部１２に回動自在に挿通してある。
従って、コ字状枠１３は枠体支持部１２に対して回動でき、枠体１はその中央部から折り畳み可能である。
コ字状枠１３の側辺間にはそれぞれ中間枠１４が２本づつ平行に架設され、コ字状枠１３及び中間枠１４の下部には、多数の小さい係止環１５が等間隔で形成されている（図２）。また、コ字状枠１３の両側辺中間部には、それぞれ取付環１６が形成され、この取付環１６に支持鎖５の下端が係止されている。
【００１３】
図２に示すように、枠体１の係止環１５には、それぞれ鎖３の上端が係止され、鎖３の下端にクリップ４が装着されている。
鎖３は、４〜５ｃｍ程度の比較的短いものであり、その外周を可撓性チューブ１８で被覆してある。
他の可撓性チューブ１８は、透明の合成樹脂を素材とし、可撓性チューブ１８を鎖３に被せることで、枠体１を開くときに鎖３どうしが引っかかったり、鎖３の環が拡がるのを防ぐことができる。
【００１４】
支持鎖５は、枠体１が開いた状態からさらに回動するのを規制するものであって、支持鎖５の外周は他の可撓性チューブ１９で被覆されている。
他の可撓性チューブ１９は、透明の合成樹脂を素材とし、図３に示すように、その上部から下部に亘って螺旋状の切れ目２０が形成されている。
このように支持鎖５に他の可撓性チューブ１９を被せると、枠体１を開く際に、支持鎖５どうし、或いは支持鎖５と鎖３とが引っかかることがない。また、他の可撓性チューブ１９は、切れ目２０を形成してあるため長くても撓みやすい。なお、吊下げ具２の構造、枠体１の形状等は図示のものに限定されず、物干具の大きさ等に応じて適宜変更しても良い。
【００１５】
【発明の効果】
請求項１に係る発明によれば、枠体を開く際に、クリップを吊り下げた鎖どうしが引っかからないので、スムーズに開くことができる。
また、鎖の環が変形して拡がることを防止できるため、長期間使用してもクリップが脱落しにくい。
請求項２に係る発明によれば、枠体を開く際に、支持鎖どうし、或いは、支持鎖と鎖とが引っかかるのを防ぐことができる。
他の可撓性チューブには螺旋状の切れ目を形成してあるので、長いチューブであっても撓み易く、この結果、枠体を折り畳む際に支持鎖が曲がるのを阻害することがない。
【図面の簡単な説明】
【図１】本発明の実施形態を示す物干具の斜視図。
【図２】クリップ取付部の斜視図。
【図３】他の可撓性チューブの斜視図
【符号の説明】
１  枠体
２  吊下げ具
３  鎖
４  クリップ
５  支持鎖
６  フック
７  支持脚
８  補強桿
９  筒体
１０  竿押さえ枠
１１  Ｕ字状環
１２  枠体支持部
１３  枠
１４  中間枠
１５  係止環
１６  取付環
１７  支持板
１８  可撓性チューブ
１９  他の可撓性チューブ
２０  切れ目
【図１】
2004248891.tif 000003
【図２】
2004248891.tif 000004
【図３】
2004248891.tif 000005